(57)【要約】【課題】手摺が傾斜している場合でも、意匠的バランスが損なわれないだけでなく、施工も容易な手摺。【解決手段】傾斜地に設けた手摺１の支柱２の上部両側に笠木飾り２０を取り付けた手摺であって、上記支柱２の高い方の側に大きな装飾部２２を有する大きい笠木飾り２０ａを、低い方の側には小さな装飾部２２を有する小さい笠木飾り２０ｂを取り付けた。笠木飾り２０は支柱２に取り付けても笠木３に取り付けてもよい。【選択図】図８
2006257797.tif 000002
【特許請求の範囲】
【請求項１】
傾斜地に設けた手摺の支柱の上部両側に笠木飾りを取り付けた手摺であって、上記支柱の高い方の側に大きな装飾部を有する大きい笠木飾りを、低い方の側には小さな装飾部を有する小さい笠木飾りを取り付けたことを特徴とする手摺。
【請求項２】
前記笠木飾りを笠木に取り付けたことを特徴とする、請求項１記載の手摺。
【請求項３】
前記笠木飾りを前記支柱に取り付けたことを特徴とする、請求項１記載の手摺。
【発明の詳細な説明】
【技術分野】
【０００１】
本発明は、手摺の笠木の下部に取り付けられる手摺飾りを、支柱の両側に配置して有効な装飾効果を出すための手摺に関するものである。
【背景技術】
【０００２】
一般に、手摺は屋内では住宅の階段や廊下、ベランダ、バルコニー等に設置され、屋外では公園やビルなどの階段や道路などに設置されている。そして、支柱の上端を笠木で連結することにより構成されている。機能的にはそれだけでよいのであるが、通常は飾りを付けて商品価値を上げている例が多い。例えば、支柱に蔓模様や唐草模様の飾りを溶接したり、支柱の一部の径を大きくしたり小さくしたり、ねじったりしたものが知られている。
【発明の開示】
【発明が解決しようとする課題】
【０００３】
しかしながら、凝った装飾は鍛造により手作りで製作されることが多く、量産には向いていない。また、従来のものはいずれも、装飾が支柱に施されており、笠木に設けられている例はほとんど皆無である。その理由は、手摺が傾斜している場合、支柱と笠木とがなす角度は、高い方は鈍角、低い方は鋭角となる。このように、両側が異なる角度をなしている場合に、同様の飾りを配置すると、全体の意匠的バランスが悪くなってしまうからである。
【０００４】
本発明は上記問題点を解消し、傾斜地に設置された手摺であって、意匠的バランスが損なわれないだけでなく、施工も容易な手摺を提供することをその課題とする。
【課題を解決するための手段】
【０００５】
前記課題を解決するため、請求項１に係る発明は、傾斜地に設けた手摺の支柱の上部両側に笠木飾りを取り付けた手摺であって、上記支柱の高い方の側に大きな装飾部を有する大きい笠木飾りを、低い方の側には小さな装飾部を有する小さい笠木飾りを取り付けたことを特徴とする。
【０００６】
なお、前記笠木飾りは笠木に取り付けても、支柱に取り付けてもよい。
【発明の効果】
【０００７】
請求項１に係る発明は、傾斜した手摺の支柱の高い方の側に大きい笠木飾り、低い方の側には小さい笠木飾りを取り付けた構成である。傾斜している手摺では、支柱の高い方の側は、手摺と支柱とがなす角度が鈍角となり、手摺と支柱との間に相対的に大きな空間が形成され、支柱の低い方の側は、手摺と支柱とがなす角度が鋭角となり、手摺と支柱との間に小さな空間が形成されることになる。そこで、広く大きく開放された大きな空間には大きい笠木飾り、開放度が小さい小さな空間には小さな笠木飾りが取り付けられるから、支柱の両側の空間が均衡するから意匠的バランスがよくとれ、外観体裁のよい手摺を得ることができる。
【発明を実施するための最良の形態】
【０００８】
図において符号１は手摺を示す。手摺１は主に支柱２と笠木３とから構成されている。なお、手摺１の傾斜角度は２０度である。
【０００９】
支柱２は、図２に示されるように、柱芯材４の周囲にＬ字形の鋳物製の柱材５を組み付けてビス６により固定したもので、中間部に配置されている装飾体７は図３に示されるように、支柱２の上端からスライド嵌合し、ビス８で固定されている。
【００１０】
図４に示されているように、支柱２の上端にはジョイントキャップ２ａが固定され、ジョイントキャップ２ａの上端に形成された対向片１０の間にＴ字形のジョイント部材９が配置され、ボルト１１で回動可能に連結されている。そして、ジョイント部材９の上部には笠木３が取り付けられている。
【００１１】
笠木３はアルミニウム型材製笠木芯材１２と笠木カバー３ａとから成っている。笠木芯材１２は断面が台形の中空部材で、下部には嵌合溝１３が形成され、上記Ｔ字形ジョイント部材９の上部の腕部９ａは嵌合溝１３に嵌合し、下から挿通したビス１５を上記芯材１２の内側に配置したビス受け板１６に螺合することによって固定されている。
【００１２】
笠木カバー３ａは鋳物製で、笠木芯材１２の上面と側面とを覆うように形成され、笠木芯材１２の上部にビス止めされている。手摺１の端部には湾曲したエンドキャップ１７が取り付けられている。
【００１３】
上記笠木３には、支柱２をはさんでその両側に笠木飾り２０が配置されている。
【００１４】
笠木飾り２０は鋳物製で、図５に示されるように、板状の（板状でなくてもよい）取付部２１の下部に装飾部２２を設けてなり、取付部２１は手摺１の笠木３の下部に固定されるための板状部で、幅寸法は笠木芯材１２の下面の嵌合溝１３の下側凹部１４（図６参照）開口幅と略同じになるように形成されている。装飾部２２は笠木３の下部に配置されて笠木３を装飾するための部材で、Ｃ字形の勾玉状に形成されている。
【００１５】
ところで、笠木飾り２０は大小の２種類が準備されている。大きな笠木飾り２０ａは大きな装飾部２２を備え、小さな笠木飾り２０ｂは小さな装飾部２２を備えている。また、大きな笠木飾り２０ａは小さな笠木飾り２０ｂに比べて取付部２１はやや大きいが、取付部２１の一端から反対側に少し寄った部位に配置されている。この取付部２１の上記一端から装飾部２２の同端までの長さは、大きな笠木飾り２０ａと小さな笠木飾り２０ｂとでは同じである。これに対し、装飾部２２の高さ寸法ｈ１、ｈ２は同じであるが、幅寸法ｗ１、ｗ２は約３対２であり、したがって面積比は約３対２である。また、取付部２１の端部からの出量ｐ１、ｐ２も両者において異なり、大きな笠木飾り２０ａと小さな笠木飾り２０ｂとでは約３対２になるように設定されている。
【００１６】
上記笠木飾り２０は、図６に示されるように、取付部２１を笠木芯材１２の下面に開口する凹部１４に嵌合し、下から挿通したビス２３を上記嵌合溝１３の内側に配置したビス受け板２４に螺合することによって固定されている。なお、笠木カバー３ａの嵌合溝１３の下面に形成された開放部には合成樹脂製の溝塞ぎ（図示せず）が係止固定されている。
【００１７】
次に、上記大きな笠木飾り２０ａと小さな笠木飾り２０ｂとは手摺１の傾斜度合いに応じて使い分けられる。すなわち、図７に示されるように、手摺１の傾斜角度が２０度以下のときは上記支柱２を挟んでその両側に大きいの笠木飾り２０ａを取り付けるのがよい。小さい笠木飾り２０ｂは支柱２との間の間隔が広がりすぎて似合わない。
【００１８】
これに対し、手摺１の傾斜角度が２０度〜４０度のときは上記支柱２の高い方の側ａに大きい笠木飾り２０ａ、低い方の側ｂには小さい笠木飾り２０ｂを取り付ける。すなわち、図７は手摺１の傾斜角度が０度のとき、図８は傾斜角度が３０度のとき、そして図９は傾斜角度が４０度のときを示す。これらの場合には、上記支柱２の高い方の側ａに大きい笠木飾り２０ａ、低い方の側ｂには小さい笠木飾り２０ｂを取り付けるのがよい。
【００１９】
傾斜している手摺１では、支柱２の高い方の側ａは、手摺１と支柱２とがなす角度が鈍角となり、手摺１と支柱２との間に相対的に大きな空間が形成され、支柱２の低い方の側ｂは、手摺１と支柱２とがなす角度が鋭角となり、手摺１と支柱２との間に小さな空間が形成されることになる。そこで、上図の場合のように広く大きく開放された大きな空間には大きい笠木飾り２０ａ、開放度が小さい小さな空間には小さな笠木飾り２０ｂが取り付けられるから、支柱２の両側の空間が均衡するから意匠的バランスがよくとれ、外観体裁のよい手摺１を得ることができる。
【００２０】
上述のように、笠木飾りが勾玉状の場合は、手摺１の傾斜角度が２０度〜４０度のときに、大きな笠木飾り２０ａと小さな笠木飾り２０ｂを、上図のように配置するのが最も意匠的バランスがよい。
【００２１】
これに対し、手摺１が傾斜している場合に、図１０に示されるように、同じ大きさの笠木飾り２０ａ（又は２０ｂ）を配置すると、支柱２と笠木飾り２０との間の空間が支柱２の両側でかなり異なり、見た目のバランスがわるく、外観がよくない。
【００２２】
支柱２、笠木カバー３ａおよび笠木飾り２０が鋳物製なので、外観上は手造りの鍛造品のように見え、高級感のある商品を提供することができる。
【００２３】
なお、笠木飾りは上述の勾玉状のものに限定されない。他の形状のものでもよい。好ましくは、上記図示例のように、取付部に対してある程度の角度をなすものがよい。
【００２４】
また、笠木飾りは手摺に取り付けるものに限定されない。支柱の上部の笠木寄り位置に公知の取り付け手段によって取り付けてもよい。
【図面の簡単な説明】
【００２５】
【図１】手摺の正面図である。
【図２】図１のＡ−Ａ線上の拡大断面図である。
【図３】図１の装飾体部分の拡大縦断面図である。
【図４】図１のＢ−Ｂ線上の拡大断面図である。
【図５】２つの笠木飾りの正面図である。
【図６】上記笠木の取付状態を示す断面図である。
【図７】水平状態の手摺の正面図である。
【図８】３０度に傾斜した手摺の正面図である。
【図９】４０度に傾斜した手摺の正面図である。
【図１０】バランスの悪い例の手摺の正面図である。
【符号の説明】
【００２６】
１    手摺
２    支柱
３    笠木
２０  笠木飾り
２１  取付部
２２  装飾部
【図１】
2006257797.tif 000003
【図２】
2006257797.tif 000004
【図３】
2006257797.tif 000005
【図４】
2006257797.tif 000006
【図５】
2006257797.tif 000007
【図６】
2006257797.tif 000008
【図７】
2006257797.tif 000009
【図８】
2006257797.tif 000010
【図９】
2006257797.tif 000011
【図１０】
2006257797.tif 000012